(57)【要約】【課題】　大当り発生の際に確実に利益を享受することができるとともに、遊技の公平を保つことができる遊技機を提供する。【解決手段】　大当りが発生した際に、大入賞口５０の開口状態で、回転体４０に保持された遊技球を回転体カバー４６の下端の第１遊技球排出口４６ｂから下方の大入賞口５０へ入賞させることが可能となるため、大当り発生の際に確実に利益を享受することができる。また、回転体カバー４６の一部を構成する可動回転体カバー４７を遊技盤側に引き入れ、第２遊技球排出口４６ｃを開口することで、回転体４０に遊技球が残ることがなくなり、遊技の公平を保つことができる。【選択図】　図３
2004000783.tif 000002
【特許請求の範囲】
【請求項１】
始動領域を通過することで図柄が変動し、図柄が所定の大当り図柄の際に大入賞口を開放するパチンコ機において、
　大入賞口の上方位置に、始動領域を通過した遊技球を保持する回転体本体と、該回転体本体の側面を覆い、遊技球を受け入れる上側の受入口、及び、遊技球を排出する下側の排出口を形成した回転体カバーとから成る回転体を設け、
　前記回転体カバーの一部、又は、全部が可動し、通常時は遊技球を保持し、前記大入賞口が開口したときに遊技球を排出することを特徴とする遊技機。
【発明の詳細な説明】
【技術分野】
【０００１】
　この発明は、始動領域を通過することで図柄が変動し、図柄が所定の大当り図柄の際に大入賞口を開放する遊技機に関するものである。
【背景技術】
【０００２】
　従来、上記遊技機として、いわゆる第１種遊技機が知られている。この第１種遊技機では、始動口に遊技球が入賞すると、所定個数（例えば５個）の賞球が払い出されると同時に図柄表示装置が図柄を変動表示し、所定時間経過後に停止表示する。停止表示された図柄の組み合わせが大当り図柄の場合は、大当り遊技として大入賞口の開放が所定時間行われる。ここで、図柄表示装置の図柄変動中に始動口に入賞があると、始動記憶として最大４個まで記憶され、図柄の変動停止後、該始動記憶に基づき図柄が変動される。
【０００３】
　大当りにより大入賞口は、開口後、約３０秒の経過、又は、１０球の入賞によって閉口する。この開口から閉口までの所謂ラウンドを所定上限回数（例えば１５回）まで繰り返す。ここで、大入賞口の開口中に、大入賞口内の特定領域を少なくとも１球通過することを条件に次ラウンドへ進むため、大入賞口が開口した際に遊技球の入賞が全くないと、そのラウンドで大当りに伴う遊技が終了することになる。
【０００４】
【特許文献１】特開平８−７１２２３（第１４，１５段落）。
【発明の開示】
【発明が解決しようとする課題】
【０００５】
　遊技球を使い果たした時点でも、始動記憶が残っていることが多く、遊技者は始動記憶に基づく図柄変動が総て終了するまで待ち、大当りが発生しないことを確認してから遊技を終了している。このため、遊技球を使い果たした状態で、図柄が揃い大当りが発生した場合には、発射する遊技球がないので、大入賞口に１球も入賞させることができず、次のラウンドへ移行することなく、即ち、大当りに基づく賞球の払い出しを全く受けることなく、大当りが終了することがあった。
【０００６】
　係る課題を解決するため、本発明者は、始動領域を通過した遊技球を保持する回転体を大入賞口の上側に設け、大入賞口が開口した際に、回転体に保持している遊技球を大入賞口へ入賞させるとの着想を持った。
【０００７】
　しかしながら、この場合には、大当りによる大入賞口の開口が発生しない限り、回転体に遊技球が保持され続けるので、遊技者は自分の発射した球を残して遊技機から離れることとなる。また、次の遊技者は、自分が発射しない球で遊技を行うこととなり、遊技の公平を保つことができないことが予想された。
【０００８】
　本発明は、上述した課題を解決するためになされたものであり、その目的とするところは、大当り発生の際に確実に利益を享有することができると共に、遊技の公平を保つことができる遊技機を提供することにある。
【課題を解決するための手段】
【０００９】
　上記課題を解決するため、請求項１の発明は、始動領域を通過することで図柄が変動し、図柄が所定の大当り図柄の際に大入賞口を開放するパチンコ機において、大入賞口の上方位置に、始動領域を通過した遊技球を保持する回転体本体と、該回転体本体の側面を覆い、遊技球を受け入れる上側の受入口、及び、遊技球を排出する下側の排出口を形成した回転体カバーとから成る回転体を設け、前記回転体カバーの一部、又は、全部が可動し、通常時は遊技球を保持し、前記大入賞口が開口したときに遊技球を排出することを技術的特徴とする。
【発明の効果】
【００１０】
　請求項１では、始動領域を通過した遊技球を回転体に保持することで、大当りが発生した際に、回転体に保持している遊技球を大入賞口に入賞させることができるので、大当り発生の際に確実に利益を享有することができる。そして、回転体カバーの一部又は全部を可動して遊技球を排出状態することで、回転体に遊技球が残ることがなくなり、遊技の公平を保つことができる。
【発明を実施するための最良の形態】
【００１１】
　以下、本発明のパチンコ機の実施形態について図を参照して説明する。
　以下の第１実施形態では、本発明のパチンコ機として、第１種のパチンコ機を代表に説明する。まず、実施形態のパチンコ機の主要構成について、本実施形態のパチンコ機を正面から見た説明図である図１を参照して説明する。
【００１２】
　パチンコ機１０の遊技盤１２の略中央には、センターケース２０が備えられている。センターケース２０には、液晶表示で特別図柄を表示する特別図柄表示装置２２と、この特別図柄表示装置２２の始動される回数を表示する４個のＬＥＤからなる特別図柄記憶表示ＬＥＤ２４とが備えられている。
【００１３】
　センターケース２０の下方には、特別図柄表示装置２２を作動させるための第１種始動領域２８が設けられており、この第１種始動領域２８の下方には第１種始動領域２８を通過した遊技球を保持するための回転体４０が設けられ、該回転体４０の下方には、特別図柄表示装置２２の停止図柄が所定の大当り図柄となった場合に作動する大入賞口５０が設けられている。
【００１４】
　また、液晶表示装置（ＬＣＤ）からなる特別図柄表示装置２２は、遊技球が第１種始動領域２８に入賞した際に、複数の図柄、たとえば０〜９の１０種類の図柄を３箇所に変動表示する。そして、変動開始後、所定の変動固定時間が経過すると変動が停止し、その停止図柄が同じ図柄、たとえば、７７７になると大当りとなり、大入賞口５０が開放される。
【００１５】
　また、特別図柄表示装置２２が作動中、または、大当り状態の時に、遊技球が第１種始動領域２８を通過した場合は、最初の４個までが始動記憶となり、特別図柄記憶表示ＬＥＤ２４によってその記憶数が表示される。そして、特別図柄が変動可能な状態になると、その始動記憶に基づいて変動が開始されるとともに、特別図柄記憶表示ＬＥＤ２４が１つ消灯される。
【００１６】
　回転体４０の左右には、入賞口１４，１６，１８，１９が設けられている。また、盤面左上の内側発射レール６０の先端には、球戻り防止装置６２が、発射検出スイッチ６４を介して配設されている。
【００１７】
　図２（Ａ）は、回転体４０と閉口中の大入賞口５０とを示す正面図であり、図２（Ｂ）は、回転体４０と開口中の大入賞口５０とを示す正面図である。図３（Ａ）は、図２（Ａ）の斜視図である。図３（Ｂ）は、回転体３０が遊技球を排出可能な状態になったところを示す斜視図である。図２（Ａ）に示すように回転体本体４２は、４箇所の遊技球保持部４４を備える。回転体本体４２の側部には、回転体カバー４６が設けられている。回転体カバー４６の上側には、遊技球を受け入れるための遊技球受入口４６ａが、下側には、遊技球を排出するための第１遊技球排出口４６ｂが、右下側に第２遊技球排出口４６ｃがそれぞれ形成されている。第２遊技球排出口４６ｃは、可動回転体カバー４７により閉成することができる。回転体本体４２は、図示しないモータにより、時計方向に回転される。
【００１８】
　回転体本体４２の下方には、大入賞口を構成する扉５０が設けられており、該扉５０には、回転体カバー４６の第１遊技球排出口４６ｂからの遊技球の落下を防ぐための回転体カバー補助部５２が設けられている。
【００１９】
　[大当り発生前の動作]
　回転体４０は、通常の状態においては、図２（Ａ）及び図３（Ａ）に示すように可動回転体カバー４７が遊技盤１２から突出し、第２遊技球排出口４６ｃを閉成する。一方、閉口中の大入賞口５０の回転体カバー補助部５２により、回転体カバー４６の第１遊技球排出口４６ｂからの遊技球の落下が防がれる。このため、第１種始動領域２８を通過した遊技球は、最大４個まで回転体４０の遊技球保持部４４に保持される。
【００２０】
　[大当り発生時の動作]
　特別図柄表示装置２２の停止図柄がそれぞれ同じ図柄に揃うと大当りとなり、大入賞口５０が開口される。大入賞口５０の開口により、図２（Ｂ）に示すように回転体カバー補助部５２により閉成されていた回転体カバー４６の第１遊技球排出口４６ｂが開口し、回転体本体４２の遊技球保持部４４に保持された遊技球が、第１遊技球排出口４６ｂから排出され、大入賞口５０へ入賞する。１０球の入賞、または、３０秒の経過により、大入賞口５０が閉じ第１ラウンドが終了し、第２ラウンドへ移行する。この大当りによるラウンドを最大１５回まで繰り返し大当りの遊技が終了する。
【００２１】
　本実施形態では、大入賞口５０に、該大入賞口５０の閉状態で回転体カバー４６の下端の第１遊技球排出口４６ｂを閉成する回転体カバー補助部５２を配設したため、第１種始動領域２８を通過した遊技球を回転体４０に保持することができる。従って、大当りが発生した際に、大入賞口５０の開状態で、回転体４０に保持させた遊技球を回転体カバー４６の下端の第１遊技球排出口４６ｂから下方の大入賞口５０へ入賞させることが可能となり、例え、大当り発生の際に発射する遊技球が無い場合にも、第２ラウンドへ移行することができ、また、回転体４０から大入賞口５０へ入賞した遊技球により、賞球を受けることができる。このため、大当り発生の際に確実に利益を享有することができる。
【００２２】
　[回転体の遊技球排出動作]
　本実施形態では、発射検出スイッチ６４（図１参照）にて遊技球の発射を検出し、遊技球の発射が所定時間なく、且つ、第１種始動領域２８の通過、又は、始動記憶に基づく特別図柄表示装置２２の図柄変動が所定時間ないときには、図３（Ｂ）に示すように、可動回転体カバー４７を遊技盤１２側に引き込み、第２遊技球排出口４６ｃから、回転体本体４２の遊技球保持部４４に保持された遊技球を排出させる。その後、遊技球の発射を検出した際、または、設定時間の経過により可動回転体カバー４７を突出させ、第２遊技球排出口４６ｃを閉口する。
【００２３】
　本実施形態では、回転体カバー４６の一部を構成する可動回転体カバー４７を遊技盤側に引き入れ、第２遊技球排出口４６ｃを開口することで、回転体４０に遊技球が残ることがなくなり、遊技の公平を保つことができる。即ち、遊技者が発射した球を残して遊技機から離れること、また、次の遊技者が、自分が発射しない球で遊技を行うことを防ぐことができる。
【００２４】
　また、上述したように、図柄の変動が停止状態でも、遊技球の発射が検出され、所定のタイミングで遊技球の発射のある際には、回転体４０の保持状態を継続する。
【００２５】
　引き続き、本発明の第２実施形態に係るパチンコ機について説明する。第２実施形態は、第１実施形態のパチンコ機に対して、回転体の構成のみが異なる。即ち、第１実施形態では、図２及び図３を参照して上述したように、回転体カバーの一部、即ち、可動回転体カバー４７が突出・収納動作を行った。これに対して、第２実施形態では、回転体カバー全体が、突出・収納動作を行う。この第２実施形態に係るパチンコ機の回転体について、図４〜図６を参照して説明する。
【００２６】
　図４は、通常状態の回転体１４０を示す斜視図であり、図５は、大入賞口１５０の開放中の回転体１４０を示す斜視図であり、図６は、保持球の排出動作中の回転体１４０の斜視図である。図４に示すように回転体本体１４２は、４箇所の遊技球保持部１４４を備える。回転体本体１４２の側部には、回転体カバー１４６が配設されている。回転体カバー１４６の上側には、遊技球を受け入れるための遊技球受入口１４６ａが、下側には、遊技球を排出するための第１遊技球排出口１４６ｂが形成されている。
【００２７】
　[大当り発生前の動作]
　通常の状態においては、図４に示すように回転体カバー１４６が遊技盤１２から突出している。一方、大入賞口１５０の回転体カバー補助部１５２により、回転体カバー１４６の第１遊技球排出口１４６ｂからの遊技球の落下が防がれる。このため、第１種始動領域２８（図１参照）を通過した遊技球は、最大４個まで回転体１４０の遊技球保持部１４４に保持される。
【００２８】
　[大当り発生時の動作]
　特別図柄表示装置２２の停止図柄が同じ数字図柄になると大当りとなり、大入賞口１５０が開口される。これとほぼ同時に、回転体カバー１４６が遊技盤１２へ収納され、図５に示すように遊技球保持部１４４に保持された遊技球が、回転体本体１４２の回転に伴い落下し、大入賞口１５０へ入賞する。１０球の入賞、または、３０秒の経過により、大入賞口１５０が閉じ第１ラウンドが終了し、第２ラウンドへ移行する。この大当りによるラウンドを最大１５回まで繰り返し大当りの遊技が終了する。大当りの終了と同時に回転体カバー１４６が遊技盤１２から突出する。
【００２９】
　本実施形態では、大入賞口１５０に、該大入賞口１５０の閉状態で回転体カバー１４６の下端の第１遊技球排出口１４６ｂを閉成する回転体カバー補助部１５２を設けたため、第１種始動領域２８を通過した遊技球を回転体１４０に保持することができる。従って、大当りが発生した際に、回転体カバー１４６を遊技盤１２へ収納することで、回転体１４０に保持させた遊技球を下方の大入賞口１５０へ入賞させることが可能となり、例え、大当り発生の際に発射する遊技球が無い場合にも、第２ラウンドへ移行することができ、また、回転体１４０から大入賞口１５０へ入賞した遊技球により、賞球を受けることができる。このため、大当り発生の際に確実に利益を享有することができる。
【００３０】
　[回転体の遊技球排出動作]
　本実施形態では、発射検出スイッチ６４（図１参照）にて遊技球の発射を検出し、遊技球の発射が所定時間なく、且つ、第１種始動領域２８の通過、又は、始動記憶に基づく特別図柄表示装置２２の図柄変動が所定時間ないときには、図６に示すように、回転体カバー１４６を遊技盤１２側に引き込み、遊技球保持部１４４に保持された遊技球を回転体本体１４２の回転に伴い排出する。その後、遊技球の発射を検出した際、または、設定時間の経過により回転体カバー１４６を突出させ、回転体１４０の遊技球の保持を可能にする。
【００３１】
　第２実施形態では、回転体カバー１４６を遊技盤側に引き入れることで、回転体１４０に遊技球が残ることがなくなり、遊技の公平を保つことができる。
【００３２】
　上述した実施形態では、回転体と大入賞口をと一体に設けたが、これらを分離して設けることも可能である。また、遊技球の発射を発射検出スイッチ６４にて検出したが、これを発射モータの動作から検出することもできる。
【図面の簡単な説明】
【００３３】
【図１】本発明の第１実施形態に係るパチンコ機の遊技領域の正面図である。
【図２】図２（Ａ）は、回転体４０と閉口中の大入賞口５０とを示す正面図であり、図２（Ｂ）は、回転体４０と開口中の大入賞口５０とを示す正面図である。
【図３】図３（Ａ）は、図２（Ａ）の斜視図である。図３（Ｂ）は、回転体３０が遊技球を排出可能な状態になったところを示す斜視図である。
【図４】通常状態の第２実施形態に係るパチンコ機の回転体１４０を示す斜視図である。
【図５】大入賞口１５０の開放中の第２実施形態に係るパチンコ機の回転体１４０を示す斜視図である。
【図６】保持球の排出動作中の第２実施形態に係るパチンコ機の回転体１４０の斜視図である。
【符号の説明】
【００３４】
　１０　　パチンコ機
　１２　　遊技盤
　２０　　センターケース
　２２　　特別図柄表示装置
　２８　　第１種始動領域
　４０　　回転体
　４２　　回転体本体
　４４　　遊技球保持部
　４６ａ　遊技球受入口
　４６ｂ　第１遊技球排出口
　４６ｃ　第２遊技球排出口
　４７　　可動回転体カバー
　５０　　大入賞口（扉）
　５２　　回転体カバー補助部
１４０　　回転体
１４２　　回転体本体
１４４　　遊技球保持部
１４６ａ　遊技球受入口
１４６ｂ　第１遊技球排出口
１５０　　大入賞口（扉）
１５２　　回転体カバー補助部
【図１】
2004000783.tif 000003
【図２】
2004000783.tif 000004
【図３】
2004000783.tif 000005
【図４】
2004000783.tif 000006
【図５】
2004000783.tif 000007
【図６】
2004000783.tif 000008